(57)【要約】【課題】スリングシートのシート部を異なる用途間で共用可能として、コスト低減を可能にする。【解決手段】身体を保持する布状のシート部３と、シート部３を介護用リフトに吊り上げるための吊り上げベルト５、６、７とを備えた介護用スリングシートにおいて、吊り上げベルト５、６、７の基部を、スライドファスナ８によりシート部３に着脱可能とする。  【選択図】  図１
2009261480.tif 000002
【特許請求の範囲】
【請求項１】
身体を保持する布状のシート部と、前記シート部を介護用リフトに吊り上げるための吊り上げベルトとを備えた介護用スリングシートにおいて、
前記吊り上げベルトの基部を、着脱具により前記シート部に着脱可能としたことを特徴とする介護用スリングシート。
【請求項２】
前記着脱具を、スライドファスナとしたことを特徴とする請求項１記載の介護用スリングシート。
【請求項３】
前記スライドファスナーの一部を構成する一方のエレメントを前記シート部に縫着し、また、他方のエレメントを前記吊り上げベルトの基端に縫着し、前記スライドファスナーの他の一部を構成するスライダーを前記両エレメントのいずれか一方に予め噛み合わせたことを特徴とする請求項２記載の介護用スリングシート。
【請求項４】
前記着脱具を、面ファスナとしたことを特徴とする請求項１記載の介護用スリングシート。
【発明の詳細な説明】
【技術分野】
【０００１】
本発明は、自力歩行が困難な被介護者を移動させるとき、その体を介護用リフトにより吊り上げるときに用いる介護用スリングシートに関する。
【背景技術】
【０００２】
自力歩行の困難な被介護者を、ベッド、車椅子、便座、風呂等の相互間を移動させるとき、介護用スリングシートが使用される。介護用スリングシートは、被介護者を保持する布製のシート部と、シート部の上部に縫着された左右の上部吊り上げベル及び下部吊り上げベルトとを備える。そして、被介護者を移動させるには、シート部を被介護者の身体に装着し、左右の上部及び下部吊り上げベルトを介護用リフトのハンガーフックに掛けて、スリングシートと共に被介護者を吊り上げる。
【０００３】
また、スリングシートとしては、被介護者を吊り上げる形態として、被介護者の脚部を揃えて保持する脚揃い型スリングシートと、被介護者の脚部が若干開くような姿勢で保持する脚分離型スリングシートとがある。脚揃い型スリングシートは、左右の下部吊り上げベルトを被介護者の大腿部の両側を通るようにして介護用リフトのハンガーフックに掛けるようにしたものである（例えば、特許文献１参照）。脚分離型スリングシートは、左右の下部吊り上げベルトを被介護者の左右の太股の間を通してたすき掛け状に介護用リフトのハンガーフックに掛けるようにしたものである（例えば、特許文献２参照）。
【０００４】
【特許文献１】特開平２００１−８７３２４号公報の図１
【特許文献２】特開平２００３−１１６９３７号公報の図８
【発明の開示】
【発明が解決しようとする課題】
【０００５】
上述したように介護用スリングシートにおいては、被介護者の下半身を吊り上げるための下部吊り上げベルトのシート部への縫着位置は、脚揃い型と脚分離型とでは大きく異なる。すなわち、脚揃い型スリングシートにおける下部吊り上げベルトのシート部への縫着位置は、シート部の下部左右両側に左右方向へ延伸するように縫着されるのに対し、脚分離型スリングシートにおいては、シート部の下端部に下方へ延伸するように縫着される。したがって、被介護者を各状況に適した姿勢で吊り上げるには、複数のスリングシートを用意する必要があり不経済である。また、各吊り上げベルトがシート部に予め縫着されて固定されているため、例えば、スリングシートと共に被介護者を車椅子に乗降させる際、吊り上げベルトが車椅子に引っ掛かる等して使い勝手が悪い等の問題がある。
【０００６】
本発明は、上記のような課題に鑑み、スリングシートのシート部を異なる用途間で共用可能として、コスト低減を可能にした介護用スリングシートを提供することを目的としている。
【課題を解決するための手段】
【０００７】
上記目的を達成するため、本発明は、身体を保持する布状のシート部と、前記シート部を介護用リフトに吊り上げるための吊り上げベルトとを備えた介護用スリングシートにおいて、前記吊り上げベルトの基部を、着脱具により前記シート部に着脱可能とする。この構成により、吊り上げベルトを交換することによって、スリングシートを、脚揃え型及び脚分離型として使用することができるため、シート部を異なる用途間で共用することが可能となり、コストの低減を図ることができる。
【０００８】
本発明はさらに、前記着脱具を、スライドファスナとする。この構成により、吊り上げベルトをシート部に簡単かつ確実に着脱することができる。
【０００９】
本発明はさらに、前記スライドファスナーの一部を構成する一方のエレメントを前記シート部に縫着し、また、他方のエレメントを前記吊り上げベルトの基端に縫着し、前記スライドファスナーの他の一部を構成するスライダーを前記両エレメントのいずれか一方に予め噛み合わせる。この構成により、シート部における非使用の接続位置に、スライドファスナーのスライダーが取り付かないため、シート部における非使用の接続位置に異物を感じることはない。
【００１０】
本発明はさらに、前記着脱具を、面ファスナとする。この構成により、吊り上げベルトをシート部に簡単に着脱することができる。
【発明の効果】
【００１１】
本発明によると、吊り上げベルトの基部を、着脱具によりシート部に着脱可能としたことにより、吊り上げベルトを交換することによって、スリングシートのシート部を異なる用途間で共用することが可能となり、コストの低減を図ることができる。
【発明を実施するための最良の形態】
【００１２】
以下、本発明に係わる一実施形態を、図面に基づいて説明する。図１に示すように、本発明に係わる介護用スリングシート１は、被介護者２（図５、６参照）の大腿部から背中を支えるためのシート部３と、被介護者２の後頭部を支えるクッション入りの枕４と、シート部３の上部を吊り上げるための左右の上部吊り上げベルト５と、シート部３の下部を吊り上げるためのの左右の脚揃い用吊り上げベルト６及び脚分離用吊り上げベルト７とを含む。接続部品をなす枕４、上部吊り上げベルト５、脚揃い用吊り上げベルト６及び脚分離用吊り上げベルト７は、シート部３に対してスライドファスナー８により構成される着脱具により着脱自在に接続される。
【００１３】
なお、本発明に係わる着脱具は、スライドファスナー８のみに限定されるものではなく、無数の鉤と輪で構成される面ファスナー、スナップボタン等で構成される点ファスナー、フック及びフックに係脱可能なリングで構成されるフックタイプ等としても良い。
【００１４】
スライドファスナー８は、テープ状の基材８２に設けられた合成樹脂製の左右対のエレメント（務歯）８３、８３と、スライドさせることで左右のエレメント８３、８３を噛み合わせたり離したりするスライダー８１とにより構成される。
【００１５】
シート部３は、化学繊維製の一枚のメッシュ布地より形成され、枕４が接続されるシート部３の上縁の接続位置Ａ、上部吊り上げベルト５の基部が接続されるシート部３の上部の左右側縁の接続位置Ｂ、脚揃い用吊り上げベルト６の基部が接続されるシート部３の下部の左右側縁の接続位置Ｃ、及び脚分離用吊り上げベルト７の基部が接続されるシート部３の下縁左右の接続位置Ｄのそれぞれには、スライドファスナー８の一方のエレメント８３が基材８２を介して縫着されている。また、シート部３の下部中央には、シート部３の下部中央を開閉可能なスライドファスナー１２が設けられている。このスライドファスナー１２は、スリングシート１をトイレ用として使用する際、シート部３の下部中央を開放させる。
【００１６】
各接続部品４、５、６、７の基端には、スライドファスナー８の他方のエレメント８３が基材８２を介して縫着されている。スライドファスナー８のスライダー８１は、各接続部品４、５、６、７の基部に縫着された方のエレメント８３に予め噛み合わせられている。
【００１７】
シート部３側のエレメント８３を接続部品４、５、６、７側に設けられたスライダー８１に係合させて、スライダー８１をスライドさせることによって、接続部品４、５、６、７側のエレメント８３とシート部３側のエレメント８３とが互いに噛み合って、接続部品４、５、６、７の基部をシート部３に接続することができる。また、スライダー８１を逆方向へスライドさせて両エレメント８３、８３を離すことによって、接続部材４、５、６、７をシート部３から外すことができる。
【００１８】
上部吊り上げベルト５、脚揃い用吊り上げベルト６及び脚分離用吊り上げベルト７の先端部側には、介護用クレーンのハンガーフック１０に係脱自在な引っ掛け孔５１、６１、７１が長手方向に沿って３個ずつ設けられている。引っ掛け孔５１、６１、７１のいずれかを選択して介護用クレーンのハンガーフック１０に掛けることによって、介護用クレーンに吊り上げられる被介護者２の体躯や被介護者が求める姿勢に対応することができる。
【００１９】
シート部３の各接続位置Ａ、Ｂ、Ｃ、Ｄには、肌触りの良い布製で形成される覆い布９の基部が縫着されている。接続部品４、５、６、７が接続されていない非使用の接続位置においては、図３に示すように、覆い布９の先端部側をシート部３の端縁から裏面側へ回り込むように折り返してシート部３の裏面側に面ファスナー１１により貼着することによって、接続部品４、５、６、７が接続されていない箇所のエレメント８３を、覆い布９により覆い隠すことができる。また、接続部品４、５、６、７が接続されている接続位置においては、図４に示すように、覆い布９をシート部３に接続されている接続部品４、５、６、７の表面に面ファスナー１１により貼着することにより、シート部３側及び接続部品４、５、６、７側の両エレメント８３の表面（被介護者２の身体に触れる側の面）を覆い隠すことができる。これにより、スライドファスナー８が被介護者２の身体に直接触れることがないため、被介護者２に不快感を与えることはない。
【００２０】
図５は、被介護者２を脚揃え姿勢で吊り上げた状態を示す。この場合は、被介護者２の体躯に見合ったサイズの上部吊り上げベルト５、脚揃い用吊り上げベルト６を選択して、上部吊り上げベルト５の基部をシート部３の接続位置Ａ、また、脚揃い用吊り上げベルト６の基部をシート部３の接続位置Ｃにスライドファスナー８によりそれぞれ接続して、左右の上部吊り上げベルト５及び脚揃い用吊り上げベルト６の各引っ掛け孔５１、６１を介護用クレーンのハンガーフック１０に掛ける。また、被介護者２を吊り上げる姿勢に応じて枕４をシート部３の接続位置Ａに接続したり、ポケット等のオプション品を取り付ける。
【００２１】
図６は、被介護者２を脚分離姿勢で吊り上げた状態を示す。この場合は、被介護者２の体躯に見合ったサイズの上部吊り上げベルト５、脚分離用吊り上げベルト７を選択して、上部吊り上げベルト５の基部をシート部３の接続位置Ａ、また、脚分離用吊り上げベルト７の基部をシート部３の接続位置Ｄにスライドファスナー８によりそれぞれ接続して、左右の上部吊り上げベルト５及び脚分離用吊り上げベルト７の各引っ掛け孔５１、７１を介護用クレーンのハンガーフック１０に掛ける。
【００２２】
また、使用状況に応じて、全ての接続部品４、５、６、７をシート部３から外して、シート部３をベッドカバーや車椅子の座カバー代わりとしても使用することもできる。特に、シート部３を車椅子の座カバーとして使用する場合には、シート部３に長尺のベルト５、６、７が接続されていないため、ベルト５、６、７が車椅子に引っ掛かるおそれが無くなり、被介護者２を安全に搬送することができると共に、介護者の使い勝手が良くなる。
【００２３】
上述のように、接続部品４、５、６、７を交換することによって、スリングシート１を、脚揃え型及び脚分離型として使用することができるため、シート部３を異なる用途間で共用することができ、コストの低減を図ることができる。また、全ての接続部品４、５、６、７をシート部３から外すことによって、シート部３をベットカバー、座カバーとしても使用することができる。
【図面の簡単な説明】
【００２４】
【図１】本発明に係わる介護用スリンシートの展開図である。
【図２】着脱具の要部の拡大斜視図である。
【図３】図１におけるIIIーIII線拡大横断面図である。
【図４】接続部品をシート部に接続した状態での図３と同様な部位の拡大横断面図である。
【図５】介護用スリングシートを脚揃い型として使用した形態で被介護者を介護用クレーンで吊り上げた状態の斜視図である。
【図６】介護用スリングシートを脚分離型として使用した形態で被介護者を介護用クレーンで吊り上げた状態の正面図である。
【符号の説明】
【００２５】
１  介護用スリングシート
２  被介護者
３  シート部
４  枕（接続部品）
５  上部吊り上げベルト（接続部品）
６  脚揃い用吊り上げベルト（接続部品）
７  脚分離用吊り上げベルト（接続部品）
８  スライドファスナー（着脱具）
９  覆い布
１０  介護用クレーンのハンガーフック
１１  面ファスナー
１２  スライドファスナー
５１  引っ掛け孔
６１  引っ掛け孔
７１  引っ掛け孔
８１  スライダー
８２  基材
８３  エレメント（務歯）
【図１】
2009261480.tif 000003
【図２】
2009261480.tif 000004
【図３】
2009261480.tif 000005
【図４】
2009261480.tif 000006
【図５】
2009261480.tif 000007
【図６】
2009261480.tif 000008